(57)【要約】 【課題】  複数台の測定装置で測定されたデータが同一カードに属するデータであることの判断機能を有し、かつ簡略化されたカード検査装置を提供すること。【解決手段】  搬送路上を連続して流れるカード１１ａ〜１１ｄを２台の測定装置１２ａ，１２ｂで測定したデータに基づいて検査項目の判定を行うカード検査システムであり、測定装置１２ａ，１２ｂに併設されカードの通過枚数を数える通過枚数カウンタ１６ａ，１６ｂと、測定装置１２ａ，１２ｂから出力される測定データに、その通過枚数の最後の桁の数字を識別番号として付加する識別番号付加手段１３ａ，１３ｂと、測定装置１２ａ，１２ｂからの測定データに対し、その識別番号を照合することで同一の識別番号が付加された測定データを同一のカードに属する測定データであると判断する処理手段とを備えるカード検査装置。【選択図】  図１
2006330993.tif 000002
【特許請求の範囲】
【請求項１】
搬送路上を連続して流れるカード状の記録媒体を複数台の測定装置で測定したデータに基づいて検査項目の判定を行うカード検査システムにおいて、前記測定装置の各々に併設され前記カード状の記録媒体の通過枚数を数えるカウンタと、前記測定装置の各々から出力される測定データに、前記カウンタの各々で得られた前記通過枚数の最後の桁の数字を識別番号として付加する識別番号付加手段と、前記測定装置の複数台からの測定データに対し、付加された前記識別番号を照合することで同一の識別番号が付加された測定データを同一のカード状の記録媒体に属する測定データであると判断する処理手段とを備えることを特徴とするカード検査装置。
【発明の詳細な説明】
【技術分野】
【０００１】
本発明は、複数台の測定装置を用いてカード状の記録媒体を検査するカード検査装置に関する。
【背景技術】
【０００２】
カード状記録媒体の検査工程では一般に複数の測定装置による検査データに基づいた検査が行われる（たとえば特許文献１）。
【０００３】
このように搬送路上を連続して流れるカードに対して複数台の測定装置を用いて検査を行う際には、同一のカードについてそれぞれの測定装置での検査データが求められる。
【０００４】
例えば、測定装置（Ａ）と測定装置（Ｂ）の２台を用いて検査を行う場合について考える。図２は２台の測定装置を用いて検査を行うカード検査装置の概念図である。図２を参照して、カード１１ａが測定装置１２ａで検査を受けてから測定装置１２ｂで検査を受けるとき、カード間隔を詰めると、カード１１ａが測定装置１２ｂに到達する前に、次のカードであるカード１１ｂが測定装置１２ａに到達する。その結果、ＰＣ（パーソナルコンピュータ）１４には、カード１１ａに属するデータとカード１１ｂに属するデータとが交互に届くことになる。言い換えると、カード間隔が変化すると、２台の測定装置から出力される測定データの順番が変化して、ＰＣ１４に送られる。
【０００５】
このように、１枚のカード１１ａについて、測定装置１２ａでの検査データおよび測定装置１２ｂでの検査データを合わせて、カードの良／不良を判定する場合、カードが一定間隔で規則正しく搬送されている場合には問題がないが、その規則性が乱れたときには、カード１１ａに特定したデータを得て検査する手法が必要である。
【０００６】
そのとき、従来の技術では、タイミング監視機構を用いて制御する上位のコントローラで順番を監視し、どのデータがどのカードのものかを特定していた。図３は従来のタイミング監視機構を用いたカード検査装置の概念図である。このとき用いられるタイミング監視機構１５は、同図ではタイミング監視機構１５の下側に連続する白抜きの矢印で示したように、搬送路に沿って一定間隔で並べられた位置センサからの信号を基にして、カードの位置を監視する機構である。同図のようにタイミング監視機構１５からのデータに基づいて、ＰＣ１４は、測定装置１２ａおよび測定装置１２ｂから送られたデータが、どのカードのものであるかを判断していた。
【０００７】
【特許文献１】特開平５−１４３７５９号公報
【発明の開示】
【発明が解決しようとする課題】
【０００８】
しかし、図３のような従来技術では、搬送タイミングを考慮した複雑なプログラムが必要となり、カード検査装置全体のシステムが複雑になっていた。たとえば、瞬間的にカードが詰まった場合などの変則的な搬送が行われた場合にも、ひとつの測定データがどのカードに属しているかを判定するためには、測定装置１２ａと測定装置１２ｂの間に多くのセンサを配置する必要があり、各センサからの多数の信号に基づいて、特定のカードに属する、測定装置１２ａによる測定データと、測定装置１２ｂによる測定データを同一カードからのデータとして判定する必要があるからである。
【０００９】
この状況にあって、本発明の課題は、複数台の測定装置で測定したデータが同一カードに属するデータであることの判断機能を有し、かつ簡略化されたカード検査装置を提供することにある。  
【課題を解決するための手段】
【００１０】
上記課題を解決するために、本発明のカード検査装置は、搬送路上を連続して流れるカード状の記録媒体を複数台の測定装置で測定したデータに基づいて検査項目の判定を行うカード検査システムにおいて、前記測定装置の各々に併設され前記カード状の記録媒体の通過枚数を数えるカウンタと、前記測定装置の各々から出力される測定データに、前記カウンタの各々で得られた前記通過枚数の最後の桁の数字を識別番号として付加する識別番号付加手段と、前記測定装置の複数台からの測定データに対し、付加された前記識別番号を照合することで同一の識別番号が付加された測定データを同一のカード状の記録媒体に属する測定データであると判断する処理手段とを備えることを特徴とする。
【発明の効果】
【００１１】
本発明によれば、カード通過のタイミング監視機能が不要となり、例えばＰＣを用いた処理手段の監視プログラムを簡略化でき、そのカード検査装置の全体システムの簡略化を図ることができる。
【００１２】
特に、瞬時のカード詰まりが起きたときでも、一つのカードに属する測定データが他のカードの測定データとみなされることはない。
【００１３】
すなわち、本発明によれば、複数台の測定装置で測定したデータが同一カードに属するデータであることの判断機能を有し、かつ簡略化されたカード検査装置を提供することができる。  
【発明を実施するための最良の形態】
【００１４】
本発明のカード検査装置を図１に概念図で示す。搬送路上を流れるカード１１ａを、まず測定装置１２ａで測定する。同時に通過枚数カウンタ１６ａで、そのカードが何枚目に通過したカードであるかをカウントする。次に、識別番号付加手段１３ａでは通過枚数カウンタ１６ａによるカウント数の最後の桁の数字を識別番号として、測定装置１２ａで得られた測定データに付加し、ＰＣ１４に検査データとしていったん格納する。
【００１５】
次いで、カード１１ａが搬送路上を流れて、測定装置１２ｂで測定がなされる。同時に通過枚数カウンタ１６ｂで、そのカードが何枚目に通過したカードであるかをカウントする。次に、識別番号付加手段１３ｂでは通過枚数カウンタ１６ｂによるカウント数の最後の桁の数字を、識別番号として、測定装置１２ｂで得られた測定データに付加し、検査データとしてＰＣ１４に送る。
【００１６】
その後、ＰＣ１４により、測定装置１２ａによる検査データと測定装置１２ｂによる検査データに対し識別番号を照合することで、同一カードからの検査データを統合して、カードの良否などを判定する。  
【００１７】
なお、識別手段付加装置１３ａ，１３ｂは処理手段としてのＰＣ１４の中に組み込んでもよい。  
【００１８】
ところで、識別番号付加手段１３ａ，１３ｂによって測定データに付加される識別番号は、たとえば、１、２、３、４、５、６、７、８、９、０の順で変化し、第１１番目のカードからは新たに、１、２、・・・・・のように変化するが、実際のカードの搬送状態の変化の範囲内では、識別番号は同じではあるが、１周期（１０枚）以上ずれたカードのデータが同一カードからの測定データとして、誤って統合され良否などの判定に用いられることはない。なお、この周期は１０進数以外の数を使えば容易に変更できる。  
【００１９】
こうして、搬送路に沿って多数配置される位置センサを用いたタイミング監視機構は不要となり、それに伴う複雑な制御プログラムも不要になった。すなわち、実際に起こりうるカード搬送の不規則さに対応し、システム構成が簡略であるにも関わらず、カード搬送の乱れが発生したときにも、同一カードに属する検査データを容易に認識できた。   
【図面の簡単な説明】
【００２０】
【図１】本発明のカード検査装置を示す概念図。
【図２】２台の測定装置を用いる場合のカードとカード検査装置の概念図。
【図３】従来のカード検査装置の概念図。
【符号の説明】
【００２１】
１１ａ，１１ｂ，１１ｃ，１１ｄ    カード
１２ａ，１２ｂ    測定装置
１３ａ，１３ｂ    識別番号付加手段
１４    ＰＣ
１５    タイミング監視機構
１６ａ，１６ｂ    通過枚数カウンタ  
【図１】
2006330993.tif 000003
【図２】
2006330993.tif 000004
【図３】
2006330993.tif 000005